(57)【要約】【課題】ＢＷＡ通信システムにおける安全チャンネルを割り当てるシステム及び方法を提供する。【解決手段】本発明は、端末機にサービスを提供するサービング基地局と隣接基地局とを含むＢＷＡ通信システムにおける安全チャンネルを割り当てる方法であって、端末機から安全チャンネルの割り当てが要求されると、サービング基地局の隣接基地局のうち、チャンネル状態が最も良好なターゲット基地局に前記安全チャンネルを割り当てることを要求する過程と、安全チャンネルの割り当てが要求された後に、安全チャンネルが割り当て可能であることを示す情報を受信すると、割り当てられた安全チャンネルを通じて端末機が通信を遂行するように制御する過程とを含むことを特徴とする。【選択図】図４
2006005946.tif 000002
【特許請求の範囲】
【請求項１】
端末機にサービスを提供するサービング基地局と隣接基地局とを含む広帯域無線接続通信システムにおける安全チャンネルを割り当てる方法であって、
端末機から前記安全チャンネルの割り当てが要求されると、サービング基地局の隣接基地局のうち、チャンネル状態が最も良好なターゲット基地局に前記安全チャンネルを割り当てることを要求する過程と、
前記安全チャンネルの割り当てが要求された後に、前記安全チャンネルが割り当て可能であることを示す情報を受信すると、前記割り当てられた安全チャンネルを通じて前記端末機が通信を遂行するように制御する過程と
を含むことを特徴とする方法。
【請求項２】
前記チャンネル状態は、端末機で各基地局からの受信信号の強さを用いて測定することを特徴とする請求項１記載の方法。
【請求項３】
前記端末機は、前記ターゲット基地局の安全チャンネルを用いて通信を遂行することを特徴とする請求項１記載の方法。
【請求項４】
前記サービング基地局は、安全チャンネルを割り当てるか否かを示す情報を前記ターゲット基地局に伝送する過程をさらに含むことを特徴とする請求項１記載の方法。
【請求項５】
前記チャンネル状態が最も良好なターゲット基地局で前記安全チャンネルを割り当てない場合に、チャンネル状態が次に良好な隣接基地局を選択して前記安全チャンネルの割り当てを要求する過程をさらに含むことを特徴とする請求項１記載の方法。
【請求項６】
端末機にサービスを提供するサービング基地局と隣接基地局とを含む広帯域無線接続通信システムにおける安全チャンネルを割り当てる方法であって、
端末機から前記安全チャンネルの割り当てが要求されると、サービング基地局の隣接基地局のうち、チャンネル状態が最も良好なターゲット基地局に前記安全チャンネルを割り当てることを要求する過程と、
前記安全チャンネルの割り当てが要求された後に、前記安全チャンネルが割り当てられないことを示す情報を受信すると、前記端末機を前記サービング基地局から前記ターゲット基地局にハンドオーバーするように制御する過程と
を含むことを特徴とする方法。
【請求項７】
前記チャンネル状態は、端末機で各基地局からの受信信号の強さを用いて測定することを特徴とする請求項６記載の方法。
【請求項８】
前記端末機は、ハンドオーバーを遂行した後に、前記サービング基地局から安全チャンネルが割り当てられて前記ターゲット基地局と通信を遂行する過程をさらに含むことを特徴とする請求項６記載の方法。
【請求項９】
前記端末機は、ハンドオーバーを遂行する場合に、前記ターゲット基地局と高速レンジングを遂行することを特徴とする請求項６記載の方法。
【請求項１０】
前記端末機は、ハンドオーバーを遂行する場合に、複数のハンドオーバー候補隣接基地局を選択し、前記端末機が前記ハンドオーバー候補隣接基地局のうちの一つの隣接基地局をターゲット基地局として選択してハンドオーバーを遂行することを特徴とする請求項６記載の方法。
【請求項１１】
前記端末機が複数のハンドオーバー候補隣接基地局を選択する過程は、所定の設定値より高い受信信号の強さを有する隣接基地局を選択することを特徴とする請求項１０記載の方法。
【請求項１２】
端末機にサービスを提供するサービング基地局と隣接基地局とを含む広帯域無線接続通信システムにおける安全チャンネルを割り当てるシステムであって、
端末機から前記安全チャンネルの割り当てが要求されると、サービング基地局の隣接基地局のうち、チャンネル状態が最も良好なターゲット基地局に前記安全チャンネルを割り当てることを要求した後に、前記ターゲット基地局から安全チャンネルが割り当てられることを示す通報を受信すると、前記割り当てられた安全チャンネルを通じて端末機が通信を遂行するように制御するサービング基地局と、
前記安全チャンネルの受信に対する必要性を検出すると、前記サービング基地局に前記安全チャンネルが割り当てられるべきことを通報した後に、前記サービング基地局からの制御信号により安全チャンネルが割り当てられる端末機と
を含むことを特徴とするシステム。
【請求項１３】
前記チャンネル状態は、端末機で各基地局からの受信信号の強さを用いて測定することを特徴とする請求項１２記載の方法。
【請求項１４】
前記端末機は、前記ターゲット基地局の安全チャンネルを用いて通信を遂行することを特徴とする請求項１２記載の方法。
【請求項１５】
前記サービング基地局は、前記端末機と通信を遂行する安全チャンネルを割り当てるか否かを示す情報を前記ターゲット基地局に伝送することを特徴とする請求項１２記載のシステム。
【請求項１６】
前記サービング基地局は、前記チャンネル状態が最も良好なターゲット基地局で前記安全チャンネルを割り当てない場合に、チャンネル状態が次に良好な隣接基地局を選択して前記安全チャンネルの割り当てを要求する過程をさらに含むことを特徴とする請求項１２記載の方法。
【請求項１７】
端末機にサービスを提供するサービング基地局と隣接基地局とを含む広帯域無線接続通信システムにおける安全チャンネルを割り当てるシステムであって、
端末機から前記安全チャンネルの割り当てが要求されると、サービング基地局の隣接基地局のうち、チャンネル状態が最も良好なターゲット基地局に前記安全チャンネルを割り当てることを要求した後に、前記ターゲット基地局から安全チャンネルが割り当てられないことを示す通報を受信すると、前記端末機を前記ターゲット基地局にハンドオーバーするように制御するサービング基地局と、
前記安全チャンネルの受信に対する必要性を検出すると、前記サービング基地局に前記安全チャンネルが割り当てられるべきことを通報した後に、前記サービング基地局からの制御信号により前記サービング基地局から前記ターゲット基地局にハンドオーバーして安全チャンネルが割り当てられる端末機と
を含むことを特徴とするシステム。
【請求項１８】
前記チャンネル状態は、端末機で各基地局からの受信信号の強さを用いて測定することを特徴とする請求項１７記載のシステム。
【請求項１９】
前記端末機は、ハンドオーバーを遂行した後に、前記サービング基地局の安全チャンネルが割り当てられて前記ターゲット基地局と通信を遂行することを特徴とする請求項１７記載のシステム。
【請求項２０】
前記端末機は、前記ターゲット基地局と高速レンジングを遂行してハンドオーバーすることを特徴とする請求項１７記載のシステム。
【請求項２１】
前記端末機は、複数のハンドオーバー候補隣接基地局を選択し、前記端末機が前記ハンドオーバー候補隣接基地局のうちの一つの隣接基地局をターゲット基地局として選択してハンドオーバーを遂行することを特徴とする請求項１７記載のシステム。
【請求項２２】
前記端末機は、複数のハンドオーバー候補隣接基地局のうち、ハンドオーバーを遂行する候補隣接基地局を選択する場合に、所定の設定値より高い受信信号の強さを有する隣接基地局を選択することを特徴とする請求項２１記載のシステム。
【発明の詳細な説明】
【技術分野】
【０００１】
本発明は、広帯域無線接続(Ｂｒｏａｄｂａｎｄ  Ｗｉｒｅｌｅｓｓ  Ａｃｃｅｓｓ：以下、“ＢＷＡ”とする)通信システムに関するもので、特に、安全(ｓａｆｅｔｙ)チャンネルの割り当て及び安全チャンネルの割り当てのためのハンドオーバーを遂行するシステム及び方法に関するものである。
【背景技術】
【０００２】
４世代(４ｔｈ  Ｇｅｎｅｒａｔｉｏｎ：４Ｇ)通信システムとして知られている次世代通信システムでは、約１００Ｍｂｐｓの伝送速度(ｄａｔａ  ｒａｔｅ)を有する多様なサービス品質(Ｑｕａｌｉｔｙ  ｏｆ  Ｓｅｒｖｉｃｅ：以下、“ＱｏＳ”とする）を使用者に提供するための活発な研究が進んでいる。現在、３世代(３Ｇ)通信システムは、一般的に比較的劣悪なチャンネル環境を有する室外チャンネル環境では約３８４Ｋｂｐｓの伝送速度を支援し、比較的良好なチャンネル環境の室内チャンネル環境で最大２Ｍｂｐｓ程度の伝送速度を支援する。
【０００３】
無線近距離通信ネットワーク(Ｌｏｃａｌ  Ａｒｅａ  Ｎｅｔｗｏｒｋ：以下、“ＬＡＮ”とする)システム及び無線都市規模ネットワーク(Ｍｅｔｒｏｐｏｌｉｔａｎ  Ａｒｅａ  Ｎｅｔｗｏｒｋ：以下、“ＭＡＮ”とする)システムは、一般的に２０Ｍｂｐｓ〜５０Ｍｂｐｓの伝送速度を支援する。現在、４Ｇ通信システムでは、比較的高い伝送速度を保証する無線ＬＡＮ及びＭＡＮシステムに移動性(ｍｏｂｉｌｉｔｙ）とＱｏＳを保証する形態で、新たな通信システムを開発して高速サービスを支援する研究が活発に進まれている。
【０００４】
特に、ＩＥＥＥ(Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ)８０２．１６通信システムは、直交周波数分割多重(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：以下、“ＯＦＤＭ”とする）方式と直交周波数分割多重接続(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ：以下、“ＯＦＤＭＡ”とする）方式を使用して、ＭＡＮの物理チャンネルに広帯域伝送ネットワークを支援する通信システムである。
【０００５】
ＩＥＥＥ８０２．１６通信システムは、ＴＤＤ-ＯＦＤＭＡ方式を使用するＢＷＡ通信システムである。このＩＥＥＥ８０２．１６通信システムは、無線ＭＡＮシステムにＯＦＤＭＡ方式を適用するために、複数の副搬送波(ｓｕｂｃａｒｒｉｅｒ)を用いて物理チャンネル信号を送信することによって、高速データ送信を可能にしている。
【０００６】
図１は、一般的なＢＷＡ通信システムの構造を概略的に示す図である。図１を参照すれば、ＢＷＡ通信システムは多重セル構造、すなわち、セル１００とセル１５０を有し、セル１００を管理する基地局(Ｂａｓｅ  Ｓｔａｔｉｏｎ：ＢＳ)１１０と、セル１５０を管理する基地局１４０と、複数の端末機(Ｍｏｂｉｌｅ  Ｓｔａｔｉｏｎ：ＭＳ)１１１，１１３，１３０，１５１，１５３とを含む。そして、基地局１１０、１４０と端末機１１１，１１３，１３０，１５１，１５３との間の信号送受信は、ＯＦＤＭ/ＯＦＤＭＡ方式を使用して遂行される。端末機１１１，１１３，１３０，１５１，１５３のうち、端末機１３０は、セル１００とセル１５０の境界地域、すなわちハンドオーバー領域に存在する。したがって、端末機１３０に対するハンドオーバーを支援するためには、端末機１３０に対する移動性を支援することが必要である。
【０００７】
図２は、一般的なＢＷＡ通信システムのフレーム構造を概略的に示す図である。図２を参照すれば、横軸２４５はＯＦＤＭＡシンボル番号(ＯＦＤＭＡ  ｓｙｍｂｏｌ  ｎｕｍｂｅｒ)を示し、縦軸２４７はサブチャンネル番号(ｓｕｂ-ｃｈａｎｎｅｌ  ｎｕｍｂｅｒ)を示す。図１に示したように、１個のＯＦＤＭＡフレームは、複数のサブチャンネル、一例として１３個のＯＦＤＭＡシンボルを含む。また、１個のＯＦＤＭＡシンボルは、複数個、例えばＬ＋１個のサブチャンネルを含む。ＢＷＡ通信システムは、ＢＷＡ通信システムで使用する全体副搬送波、特にデータ副搬送波を全体周波数帯域に分散させて周波数ダイバシティ利得(ｆｒｅｑｕｅｎｃｙ  ｄｉｖｅｒｓｉｔｙ  ｇａｉｎ）を獲得することを目的とする。また、ＢＷＡ通信システムでは、送受信器間にタイムオフセット及び周波数オフセットを調整し、送信電力(ｔｒａｎｓｍｉｔ  ｐｏｗｅｒ）を調整するためにレンジング動作を遂行する。
【０００８】
上記のようなＢＷＡ通信システムで、ダウンリンク(ｄｏｗｎｌｉｎｋ)からアップリンク(ｕｐｌｉｎｋ)への転換は、送信/受信遷移ギャップ(Ｔｒａｎｓｍｉｔ/ｒｅｃｅｉｖｅ  Ｔｒａｎｓｉｔｉｏｎ  Ｇａｐ：以下、“ＴＴＧ”とする)２５１で遂行され、アップリンクからダウンリンクへの転換は、受信/送信遷移ギャップ(Ｒｅｃｅｉｖｅ/ｔｒａｎｓｍｉｔ  Ｔｒａｎｓｉｔｉｏｎ  Ｇａｐ：以下、“ＲＴＧ”とする)２５５で遂行される。一方、ＴＴＧ２５１及びＲＴＧ２５５以後に、別途のプリアンブル(ｐｒｅａｍｂｌｅ)領域２１１，２３１，２３３，２３５は、送受信器間に同期が取られるように割り当てられる。
【０００９】
ＩＥＥＥ８０２．１６ｄ通信システムのフレーム構造では、ダウンリンクフレーム２４９が、プリアンブル領域２１１と、フレーム管理ヘッダー(Ｆｒａｍｅ  Ｃｏｎｔｒｏｌ  Ｈｅａｄｅｒ：以下、“ＦＣＨ”とする)領域２１３と、ダウンリンクＭＡＰ(以下、“ＤＬ-ＭＡＰ”)領域２１５と、アップリンクＭＡＰ(以下、“ＵＬ-ＭＡＰ”)領域２１７，２１９と、複数のダウンリンクバースト(以下、“ＤＬバースト”とする)領域、すなわち、第１のＤＬバースト領域２２３と、第２のＤＬバースト領域２２５と、第３のＤＬバースト領域２２１と、第４のＤＬバースト領域２２７と、第５のＤＬバースト領域２２９とを含む。
【００１０】
プリアンブル領域２１１は、送受信器間に同期獲得のための同期信号、すなわちプリアンブルシーケンス(ｐｒｅａｍｂｌｅ  ｓｅｑｕｅｎｃｅ)を送信する領域である。また、ＦＣＨ領域２１３は、２個のサブチャンネルを含み、サブチャンネル、レンジング、変調方式などに対する基本情報を伝送する。ＤＬ-ＭＡＰ領域２１５はＤＬ-ＭＡＰメッセージを送信し、ＵＬ-ＭＡＰ領域２１７、２１９はＵＬ-ＭＡＰメッセージを送信する。
【００１１】
広帯域ＯＦＤＭＡ方式を使用する多重セルシステムで、隣接セルに位置する端末機は、同一の周波数帯域を使用して通信する。したがって、端末機がセル境界地域にあると、相互に異なるセルで同一のサブチャンネルを使用する場合に、相互に大きな干渉(ｉｎｔｅｒｆｅｒｅｎｃｅ)で動作可能である。したがって、セル境界地域に位置する端末機は、隣接セルで使用しない周波数帯域が割り当てられる。隣接セルからの干渉を最小化してセル容量を増大させ、セル境界地域に位置する端末機のサービス品質を保証し、隣接セルからの干渉を最小化するように安全チャンネルを割り当てる。
【００１２】
図３は、一般的なＢＷＡ通信システムで安全チャンネルが適用されるフレーム構造を示す図である。図３を参照すれば、フレーム構造で、全体副搬送波帯域は複数のバンド(ｂａｎｄ)に分けられ、このバンドは複数のビン(ｂｉｎ)又はタイル(ｔｉｌｅ）を含む。ビン又はタイルは、複数の副搬送波を含む。ここで、ビンは、一つのＯＦＤＭシンボル内に連続する副搬送波を含み、パイロットトーンとデータトーンが存在する。また、タイルは、連続する副搬送波を含み、パイロットトーンとデータトーンが存在する。
【００１３】
一方、フレームで最初の３個のＯＦＤＭシンボルは、各々レンジングチャンネル、複合自動応答(Ｈｙｂｒｉｄ  Ａｕｔｏｍａｔｉｃ  Ｒｅｐｅａｔ  Ｒｅｑｕｅｓｔ：以下、“ＨＡＲＱ”とする)チャンネル及びチャンネル品質情報(Ｃｈａｎｎｅｌ  Ｑｕａｌｉｔｙ  Ｉｎｆｏｒｍａｔｉｏｎ：以下、“ＣＱＩ”とする)チャンネルに使用される。残りのバンドＡＭＣ(Ａｄａｐｔｉｖｅ  Ｍｏｄｕｌａｔｉｏｎ  ａｎｄ  Ｃｏｄｉｎｇ)チャンネルとダイバシティチャンネル、及び安全チャンネルが割り当てられる。したがって、各フレームの前部にはＭＡＰや制御情報が含まれたデータが分布し、後部には副搬送波とＯＦＤＭシンボルで構成されたデータが分布する。
【００１４】
フレームの前部のバンドＡＭＣチャンネルは、ビンで構成されたバンド単位で割り当てられ、後部のダイバシティチャンネルは全体副搬送波帯域に分布された３個のタイルで構成されたサブチャンネル単位で割り当てられる。バンドＡＭＣチャンネルは、ダイバシティチャンネルより広い領域を割り当てるため、受信品質状態が良い場合には、コーディング効率が高い変調技法を適用して大容量のデータを高速に送受信するのに使用することができる。
【００１５】
安全チャンネルは、すべてのＯＦＤＭシンボルと一つのビンにかけている部分が割り当てられる。安全チャンネルは、一つのビンのすべてのシンボルが割り当てられる。また、端末機は、隣接セルで使用しない安全チャンネルのうち、基地局で割り当て可能な周波数帯域、すなわち割り当てられずに残っている周波数帯域に安全チャンネルが割り当てられる。バンドＡＭＣチャンネルを使用する端末機は、資源がバンド単位で割り当てられ、ダイバシティチャンネルを使用する端末機は、資源がサブチャンネル単位で割り当てられる。安全チャンネルを使用する端末機は、一つのビンのすべてのシンボルが割り当てられる。このとき、割り当てられる安全チャンネルは、端末機が隣接セルで使用しない安全チャンネルから割り当てられる。
【００１６】
上述したＢＷＡ通信システムで、サービングセルで基地局と通信を遂行する端末機が隣接セル領域に移動可能である。このとき、隣接セルの基地局から干渉が増加する場合に、端末機は、現在隣接セルで使用しない隣接セルの安全チャンネルが割り当てられ、サービング基地局と安定した通信を持続することができる。このとき、隣接セルの安全チャンネルを他の端末機に割り当てて使用すると、隣接セル領域に接近した端末機は、隣接セルの基地局から干渉が大きく作用するという問題点があった。
【発明の開示】
【発明が解決しようとする課題】
【００１７】
したがって、上記のような従来技術の問題点を解決するために、本発明の目的は、ＢＷＡ通信システムにおける安全チャンネルを割り当てるシステム及び方法を提供することにある。
本発明の他の目的は、ＢＷＡ通信システムで、隣接セルのチャンネル割り当て状態に対応して安全チャンネルを割り当てるシステム及び方法を提供することにある。
【００１８】
さらに本発明の目的は、広帯域無線直交周波数多重接続方式で、隣接セル境界地域に移動する端末機の干渉を最小化するために、隣接セルの安全チャンネルを割り当てるシステム及び方法を提供することにある。
本発明の目的は、サービング基地局が隣接セルの安全チャンネルを端末機に割り当てられない場合に、サービング基地局自分の安全チャンネルを端末機に割り当てるシステム及び方法を提供することにある。
【００１９】
また、本発明の目的は、サービング基地局が自分の安全チャンネルを端末機に割り当てるために、サービング基地局が端末機を受信信号が最も高い隣接基地局にハンドオーバーさせるシステム及び方法を提供することにある。
本発明のまた他の目的は、隣接セルの安全チャンネルを端末機に割り当てられない場合に、サービング基地局が、2番目に受信信号が高い隣接基地局の安全チャンネルを端末機に割り当てるシステム及び方法を提供することにある。
【課題を解決するための手段】
【００２０】
上記の目的を達成するために、本発明は、端末機にサービスを提供するサービング基地局と隣接基地局とを含むＢＷＡ通信システムにおける安全チャンネルを割り当てる方法であって、端末機から前記安全チャンネルの割り当てが要求されると、サービング基地局の隣接基地局のうち、チャンネル状態が最も良好なターゲット基地局に前記安全チャンネルを割り当てることを要求する過程と、前記安全チャンネルの割り当てが要求された後に、前記安全チャンネルが割り当て可能であることを示す情報を受信すると、前記割り当てられた安全チャンネルを通じて前記端末機が通信を遂行するように制御する過程とを含むことを特徴とする。
【００２１】
また、本発明は、端末機にサービスを提供するサービング基地局と隣接基地局とを含むＢＷＡ通信システムにおける安全チャンネルを割り当てる方法であって、端末機から前記安全チャンネルの割り当てが要求されると、サービング基地局の隣接基地局のうち、チャンネル状態が最も良好なターゲット基地局に前記安全チャンネルを割り当てることを要求する過程と、前記安全チャンネルの割り当てが要求された後に、前記安全チャンネルが割り当てられないことを示す情報を受信すると、前記端末機を前記サービング基地局から前記ターゲット基地局にハンドオーバーするように制御する過程とを含むことを特徴とする。
【００２２】
さらに、本発明は、端末機にサービスを提供するサービング基地局と隣接基地局とを含むＢＷＡ通信システムにおける安全チャンネルを割り当てるシステムであって、端末機から前記安全チャンネルの割り当てが要求されると、サービング基地局の隣接基地局のうち、チャンネル状態が最も良好なターゲット基地局に前記安全チャンネルを割り当てることを要求した後に、前記ターゲット基地局から安全チャンネルが割り当てられることを示す通報を受信すると、前記割り当てられた安全チャンネルを通じて端末機が通信を遂行するように制御するサービング基地局と、前記安全チャンネルの受信に対する必要性を検出すると、前記サービング基地局に前記安全チャンネルが割り当てられるべきことを通報した後に、前記サービング基地局からの制御信号により安全チャンネルが割り当てられる端末機とを含むことを特徴とする。
【００２３】
本発明は、端末機にサービスを提供するサービング基地局と隣接基地局とを含むＢＷＡ通信システムにおける安全チャンネルを割り当てるシステムであって、端末機から前記安全チャンネルの割り当てが要求されると、サービング基地局の隣接基地局のうち、チャンネル状態が最も良好なターゲット基地局に前記安全チャンネルを割り当てることを要求した後に、前記ターゲット基地局から安全チャンネルが割り当てられないことを示す通報を受信すると、前記端末機を前記ターゲット基地局にハンドオーバーするように制御するサービング基地局と、前記安全チャンネルの受信に対する必要性を検出すると、前記サービング基地局に前記安全チャンネルが割り当てられるべきことを通報した後に、前記サービング基地局からの制御信号により前記サービング基地局から前記ターゲット基地局にハンドオーバーして安全チャンネルが割り当てられる端末機とを含むことを特徴とする。
【発明の効果】
【００２４】
本発明は、時間分割直交周波数多重接続システムで隣接セル境界地域に位置する端末機に対する隣接セル干渉信号を最小化することができる安全チャンネルを割り当てる方案及びチャンネル状況による安全チャンネルのハンドオーバー動作を提案することで、隣接セル境界地域に位置する端末機の通信品質を保証することができる効果がある。
【発明を実施するための最良の形態】
【００２５】
以下、本発明の望ましい実施形態を添付の図面を参照して詳細に説明する。
以下に、本発明に関連した公知機能又は構成に関する具体的な説明が本発明の要旨を不明にすると判断された場合に、その詳細な説明を省略する。
【００２６】
本発明は、ＢＷＡ通信システムで端末機(Ｍｏｂｉｌｅ  Ｓｔａｔｉｏｎ)が隣接セル領域に接近する場合に、隣接セルの干渉(ｉｎｔｅｒｆｅｒｅｎｃｅ)の強さが増加するため、現在サービングセルにおける受信信号の品質が低下することを防止するための方案を提示する。つまり、本発明は、隣接セルの干渉を低下させるために、隣接セルで使用していないチャンネル、すなわち、安全チャンネルを端末機に割り当てる方案を提示する。
【００２７】
また、本発明は、隣接セルの安全チャンネルが割り当てられない場合に、端末機を隣接セルにハンドオーバーさせた後、隣接セルでサービング基地局自分の安全チャンネルを使用することを提案する。さらに、本発明は、受信信号の強さが最も高い隣接セルの安全チャンネルを割り当てない場合に、受信信号の強さが2番目に高い隣接セルの安全チャンネルを割り当てることを提案する。
【００２８】
図４は、本発明の実施形態によるＢＷＡ通信システムで、安全チャンネルを割り当てる動作過程を概略的に示す信号手順図である。図４を参照すると、ＢＷＡ通信システムで、端末機は、隣接セルの受信信号の強さの変化を測定し、その測定結果により、端末機のサービング基地局に安全チャンネルの割り当てを要求する。そして、サービング基地局は、受信信号の強さが最も高い隣接セルと端末機との間に安全チャンネルを割り当てる。
【００２９】
ステップ４１２で、端末機４１０は、サービングセルでサービング基地局４５０との通信中にサービング基地局４５０、第１の隣接基地局４６０、第２の隣接基地局４７０、すなわち、周辺基地局に対してスキャンを遂行する。ステップ４１４で、サービング基地局４５０は、ステップ４１２のスキャニング結果、サービング基地局及び各隣接基地局からの受信信号の強さに変動が生じた場合に、“ＭＯＢ-ＳＣＡＮ-ＲＥＰＯＲＴ”メッセージを使用して端末機４１０のスキャニング結果をサービング基地局４５０に伝送する。“ＭＯＢ-ＳＣＡＮ-ＲＥＰＯＲＴ”メッセージの構造は、下記の＜表１＞に示す。
【００３０】
【表１】
2006005946.tif 000003
【００３１】
＜表１＞に示すように、“ＭＯＢ-ＳＣＡＮ-ＲＥＰＯＲＴ”メッセージは、多数のＩＥ(Ｉｎｆｏｒｍａｔｉｏｎ  Ｅｌｅｍｅｎｔ)、すなわち、送信されるメッセージのタイプを示す“Ｍａｎａｇｅｍｅｎｔ  Ｍｅｓｓａｇｅ  Ｔｙｐｅ”と、特定イベントが発生したことをサービング基地局に報告するためにＭＯＢ-ＳＣＡＮ-ＲＥＰＯＲＴメッセージが伝送されたことを示す“Ｒｅｐｏｒｔ  Ｍｏｄｅ”と、端末機４１０が基地局に対してスキャニングした結果を示す“Ｎ_ＮＥＩＧＨＢＯＲＳ”とを含む。“Ｎ_ＮＥＩＧＨＢＯＲＳ”は、隣接基地局のＩＤを示すＮｅｉｇｈｂｏｒ  ＢＳ-ＩＤと、各基地局からの受信信号の強さを示すＢＳ  ＣＩＮＲとを含む。また、“Ｎ_ＮＥＩＧＨＢＯＲＳ”は、隣接基地局だけでなくサービング基地局も含む。
【００３２】
ステップ４１６で、サービング基地局４５０は、“ＭＯＢ-ＳＣＡＮ-ＲＥＰＯＲＴ”メッセージを受信すると、この“ＭＯＢ-ＳＣＡＮ-ＲＥＰＯＲＴ”メッセージを用いて受信信号の強さが最も高い隣接基地局を選択する。そして、サービング基地局４５０は、隣接基地局に割り当て可能な安全チャンネル情報を要求するために、Ｉｎｆｏ-ｒｅｑｕｅｓｔを“０”に設定して“ＳａｆｅｔｙＣＨ-Ｉｎｆｏ”メッセージを伝送する。すなわち、ステップ４１６で、受信信号の強さが最も大きな隣接基地局を第１の隣接基地局４６０であると仮定すれば、サービング基地局４５０は、第１の隣接基地局４６０にＩｎｆｏ-ｒｅｑｕｅｓｔを“０”に設定した“ＳａｆｅｔｙＣＨ-Ｉｎｆｏ”メッセージを送信する。“ＳａｆｅｔｙＣＨ-Ｉｎｆｏ”メッセージの構造は、＜表２＞に示す。
【００３３】
【表２】
2006005946.tif 000004
【００３４】
＜表２＞に示すように、“ＳａｆｅｔｙＣＨ-Ｉｎｆｏ”メッセージは、複数のＩＥ、すなわち、一つの基地局が他の基地局に割り当て可能な安全チャンネル情報の要求を指示し、或いは、一つの基地局が自分の安全チャンネルを他の基地局に通報するか否かを示す“Ｉｎｆｏ-ｒｅｑｕｅｓｔ”と、安全チャンネル情報を指示する“ＴＬＶ_Ｓａｆｅｔｙ_ｃｈａｎｎｅｌ_ｉｎｆｏ”とを含む。ここで、“ＴＬＶ_Ｓａｆｅｔｙ_ｃｈａｎｎｅｌ_ｉｎｆｏ”は、Ｉｎｆｏ-ｒｅｑｕｅｓｔ値が“１”に設定された場合に、他の基地局に基地局自分の安全チャンネルを知らせるための情報である。“ＴＬＶ_Ｓａｆｅｔｙ_ｃｈａｎｎｅｌ_ｉｎｆｏ”の構造は、＜表３＞に示す。
【００３５】
【表３】
2006005946.tif 000005
【００３６】
＜表３＞に示すように、“ＴＬＶ_Ｓａｆｅｔｙ_ｃｈａｎｎｅｌ_ｉｎｆｏ”は、端末機４１０に割り当てられる安全チャンネルのＯＦＤＭＡシンボルオフセットを示す“ＯＦＤＭＡ  ｓｙｍｂｏｌ  ｏｆｆｓｅｔ”と、安全チャンネル情報領域のサブチャンネルオフセットを示す“Ｓｕｂｃｈａｎｎｅｌ  ｏｆｆｓｅｔ”と、ＯＦＤＭＡシンボルの個数である“Ｎｏ.ＯＦＤＭＡ  ｓｙｍｂｏｌｓ”と、サブチャンネルの個数である“Ｎｏ．ｓｕｂｃｈａｎｎｅｌｓ”とを含む。
【００３７】
ステップ４１６で、第１の隣接基地局４６０がサービング基地局４５０から安全チャンネル情報の割り当て要求を受信する。ステップ４１８で、第１の隣接基地局４６０は、サービング基地局４５０に自分の安全チャンネルのうち割り当て可能なチャンネル情報である“ＴＬＶ_Ｓａｆｅｔｙ_ｃｈａｎｎｅｌ_ｉｎｆｏ”を含み、Ｉｎｆｏ-ｒｅｑｕｅｓｔを“１”に設定したＳａｆｅｔｙＣＨ-Ｉｎｆｏメッセージを伝送する。ステップ４２０で、サービング基地局４５０は、Ｉｎｆｏ-ｒｅｑｕｅｓｔが“１”に設定された“ＳａｆｅｔｙＣＨ-Ｉｎｆｏ”メッセージを受信すると、“ＳａｆｅｔｙＣＨ-Ｉｎｆｏ”メッセージに含まれたサービング基地局４５０の安全チャンネルを端末機４１０に割り当てることができるか否かを判断する。このとき、サービング基地局４５０は、第１の隣接基地局４６０が提供した安全チャンネルが割り当て可能である場合に、選択したチャンネル情報を貯蔵するＤＬ-ＭＡＰメッセージを端末機４１０に伝送する。ＤＬ-ＭＡＰメッセージの構造は、＜表４＞に示すようである。
【００３８】
【表４】
2006005946.tif 000006
【００３９】
＜表４＞に示すように、ＤＬ-ＭＡＰメッセージは複数のＩＥ、すなわち、送信されるメッセージのタイプを示す“Ｍａｎａｇｅｍｅｎｔ  Ｍｅｓｓａｇｅ  Ｔｙｐｅ”と、同期を獲得するために物理チャンネルに適用される変調方式及び復調方式により設定される“ＰＨＹ(ｐｈｙｓｉｃａｌ)  Ｓｙｎｃｈｒｏｎａｉｚａｔｉｏｎ”と、ダウンリンクバストプロファイルを含み、ダウンリンクチャンネルディスクリプト(Ｄｏｗｎｌｉｎｋ  Ｃｈａｎｎｅｌ  Ｄｅｓｃｒｉｐｔ：以下、“ＤＣＤ”とする)メッセージの構成(ｃｏｎｆｉｇｕｒａｔｉｏｎ)変化に対応するカウントを示す“ＤＣＤ  ｃｏｕｎｔ”と、基地局識別子を示す“Ｂａｓｅ  Ｓｔａｔｉｏｎ  ＩＤ”と、各ＤＬ-ＭＡＰ  ＩＥのバスト情報を示す“ＤＬ-ＭＡＰ-ＩＥ”とを含む。“ＤＬ-ＭＡＰ-ＩＥ”の構造は、＜表５＞に示すようである。
【００４０】
【表５】
2006005946.tif 000007
【００４１】
＜表５＞に示すように、各ＤＬ-ＭＡＰ  ＩＥは、ＤＬ-ＭＡＰ  ＩＥが記録される領域のオフセットを指定する情報を示す“ＤＩＵＣ(Ｄｏｗｎｌｉｎｋ  Ｉｎｔｅｒｖａｌ  Ｕｓａｇｅ  Ｃｏｄｅ)”情報と、各ＤＬ-ＭＡＰ  ＩＥが割り当てられた“接続識別子(Ｃｏｎｎｅｃｔｉｏｎ  Ｉｄｅｎｔｉｆｉｅｒ：ＣＩＤ)”情報と、ＤＬバーストに割り当てられるシンボル資源のオフセットを示す“ＯＦＤＭＡシンボルオフセット”と、ＤＬバーストに割り当てられるサブチャンネル資源のオフセットを示す“サブチャンネルオフセット”と、電力送信時に増加する電力値を示す“ブースティング(ｂｏｏｓｔｉｎｇ)”と、割り当てられたＯＦＤＭＡシンボルの個数を示す“ＯＦＤＭＡシンボルの個数(Ｎｏ．ＯＦＤＭＡ Ｓｙｍｂｏｌｓ)”と、割り当てられたサブチャンネルの個数を示す“サブチャンネルの個数(Ｎｏ．  Ｓｕｂｃｈａｎｎｅｌｓ)”と、上記バストに使用される反復コードの指示情報を示す“反復コーディング指示(ｒｅｐｅｔｉｔｉｏｎ  ｃｏｄｉｎｇ  ｉｎｄｉｃａｔｉｏｎ)”とを含む。
【００４２】
したがって、ステップ４２２で、サービング基地局４５０は、選択したチャンネル情報を貯蔵したＤＬ-ＭＡＰ  ＩＥと、該ＤＬ-ＭＡＰ  ＩＥが安全チャンネルの割り当てであることを知らせるＤＩＵＣ値を“１３”に設定したことを含むＤＬ-ＭＡＰメッセージを端末機４１０に伝送する。ステップ４２４で、サービング基地局４５０は、第１の隣接基地局４６０が提供した安全チャンネルを端末機４１０に割り当てることを知らせる、Ａｌｌｏｃ  ｆｌａｇを“１”に設定したＳａｆｅｔｙＣＨ-Ａｌｌｏｃ-Ｉｎｆｏメッセージを伝送する。
【００４３】
ステップ４２４で、サービング基地局４５０は、第１の隣接基地局４６０が提供した安全チャンネルを端末機４１０に実際に割り当てるか否かを示す情報を第１の隣接基地局４６０に伝送する。これは、第１の隣接基地局４６０が提供したチャンネルをサービングセルで使用しない場合に、サービング基地局４５０が他の割り当て可能なチャンネルを選択することもできるため、第１の隣接基地局４６０が提供したチャンネルを実際に端末機に割り当てるか否かを確認させるためである。言い換えれば、サービングセルで実際に使用しない隣接基地局の安全チャンネルを第１の隣接基地局４６０に返すことによって、第１の隣接基地局４６０がまた他の端末機に安全チャンネルが割り当て可能であるか否かを決定するのに使用できる。
【００４４】
ここで、ＳａｆｅｔｙＣＨ-Ａｌｌｏｃ-Ｉｎｆｏメッセージは、ＤＬ-ＭＡＰメッセージと共に伝送され、あるいは、以後に伝送されることもできる。ＳａｆｅｔｙＣＨ-Ａｌｌｏｃ-Ｉｎｆｏメッセージ構造は、＜表６＞に示すようである。
【００４５】
【表６】
2006005946.tif 000008
【００４６】
＜表６＞に示すように、ＳａｆｅｔｙＣＨ-Ａｌｌｏｃ-Ｉｎｆｏメッセージは、複数のＩＥ、すなわち、安全チャンネルが割り当てられた端末機の識別子情報を示す“ＭＳ  ｕｎｉｑｕｅ  ｉｄｅｎｔｉｆｉｅｒ”と、サービング基地局が隣接基地局から提供された安全チャンネルを実際に端末機に割り当てるか否かを示すフラグ情報である“Ａｌｌｏｃ  ｆｌａｇ”と、端末機に割り当てる安全チャンネルを示す“ＴＬＶ_Ｓａｆｅｔｙ_ｃｈａｎｎｅｌ_ｉｎｆｏ”とを含む。
【００４７】
端末機の識別子情報は、隣接基地局の安全チャンネルを端末機に割り当てられない場合に、端末機が隣接基地局に安全チャンネルハンドオーバーを遂行してサービング基地局自分の安全チャンネルを使用することを隣接基地局に知らせ、端末機のために高速レンジング区間を割り当てることを含む情報である。また、Ａｌｌｏｃ  ｆｌａｇ＝“１”である場合に、サービング基地局は、隣接基地局から提供された安全チャンネルを端末機に割り当てることを示し、Ａｌｌｏｃ  ｆｌａｇ＝“０”である場合に、サービング基地局が隣接基地局から提供された安全チャンネルを端末機に割り当てることができず、サービング基地局自分の安全チャンネルを隣接基地局にハンドオーバーした後に使用可能に端末機に割り当てることを示す。また、Ａｌｌｏｃ  ｆｌａｇ＝“０”である場合に、端末機に割り当てられたサービング基地局自分の安全チャンネルを隣接基地局に知らせるためのＴＬＶ_Ｓａｆｅｔｙ_ｃｈａｎｎｅｌ_ｉｎｆｏ情報が含まれる。ここで、このＴＬＶ_Ｓａｆｅｔｙ_ｃｈａｎｎｅｌ_ｉｎｆｏの構造を、＜表３＞に示す。
【００４８】
ステップ４２６で、端末機４１０は、サービング基地局４５０が伝送したＤＬ-ＭＡＰメッセージを受信すると、ＤＬ-ＭＡＰ  ＩＥバーストのチャンネルを使用してサービング基地局４５０と通信する。
【００４９】
図５は、本発明の実施形態によるＢＷＡ通信システムで、ハンドオーバーを遂行して安全チャンネルを割り当てる動作過程を概略的に示す信号手順図である。図５を参照すれば、ステップ５１２で、端末機５１０は、サービングセルでサービング基地局５５０と通信し、サービング基地局５５０、第１の隣接基地局５６０、第２の隣接基地局５７０、すなわち、周辺基地局に対してスキャンを遂行する。ステップ５１４で、ステップ５１２のスキャニング結果、サービング基地局及び各隣接基地局の信号強さが変わると、端末機５１０は、サービング基地局５５０に“ＭＯＢ-ＳＣＡＮ-ＲＥＰＯＲＴ”メッセージを用いて伝送して上記のスキャニング結果をサービング基地局５５０に伝送する。ステップ５１６で、サービング基地局５５０は、“ＭＯＢ-ＳＣＡＮ-ＲＥＰＯＲＴ”メッセージを受信すると、チャンネル状態が最も良好な、すなわち、受信信号の強さが最も高い隣接基地局を選択する。そして、Ｉｎｆｏ-ｒｅｑｕｅｓｔを“０”に設定し、ＳａｆｅｔｙＣＨ-Ｉｎｆｏメッセージを伝送して隣接基地局から安全チャンネル情報の割り当てを要求する。すなわち、ステップ５１６で、サービング基地局５５０は、受信信号の強さが最も高い第１の隣接基地局５６０にＳａｆｅｔｙＣＨ-Ｉｎｆｏメッセージを送信する。
【００５０】
ステップ５１８で、第１の隣接基地局５６０は、サービング基地局５５０に自分の安全チャンネル情報である＜表３＞のＴＬＶ_Ｓａｆｅｔｙ_ｃｈａｎｎｅｌ_ｉｎｆｏを含み、Ｉｎｆｏ-ｒｅｑｕｅｓｔを“１”に設定してＳａｆｅｔｙＣＨ-Ｉｎｆｏメッセージを伝送する。ステップ５２０で、サービング基地局５５０は、Ｉｎｆｏ-ｒｅｑｕｅｓｔが“１”に設定されたＳａｆｅｔｙＣＨ-Ｉｎｆｏメッセージを受信すると、第１の隣接基地局５６０から安全チャンネル情報を通じて、第１の隣接基地局５６０の安全チャンネルに該当する自分のチャンネルを端末機５１０に割り当てるか否かを判断する。このステップ５２０で、他の端末機が、サービング基地局５５０が第１の隣接基地局５６０に提供した安全チャンネルを既に使用している場合に、サービング基地局は、端末機５１０にチャンネルを割り当てることが不可能であると判断する。ステップ５２２で、サービング基地局５５０は、基地局ハンドオーバー要求(Ｍｏｂｉｌｅ  ＢＳ  Ｈｎａｄｏｖｅｒ  Ｒｅｑｕｅｓｔ：以下、“ＭＯＢ-ＢＳＨＯ-ＲＥＱ”とする)メッセージを端末機５１０に伝送することによって、端末機５１０を第１の隣接基地局５６０にハンドオーバーするように指示する。“ＭＯＢ-ＢＳＨＯ-ＲＥＱ”メッセージの構造は、下記の＜表７＞のように示す。
【００５１】
【表７】
2006005946.tif 000009
【００５２】
＜表７＞に示すように、ＭＯＢ-ＢＳＨ０-ＲＥＱメッセージは複数のＩＥ、すなわち、送信されるメッセージタイプを示す“Ｍａｎａｇｅｍｅｎｔ  Ｍｅｓｓａｇｅ  Ｔｙｐｅ”と、サービング基地局の要求によるハンドオーバーモードを示す“Ｈａｎｄｏｖｅｒ  Ｍｏｄｅ”情報と、サービング基地局が選択したターゲット基地局に関する情報を示す“Ｎｅｉｇｈｂｏｒ  ＢＳ-ＩＤ”と、臨時接続識別子を示す“Ｔｅｍｐｏｒａｒｙ  ＣＩＤ”と、ハッシュ基盤のメッセージ認証コードタプル(Ｈａｓｈ-ｂａｓｅｄ  Ｍｅｓｓａｇｅ  Ａｄｕｎｔｉｆｉｃａｔｉｏｎ  Ｃｏｄｅ  Ｔｕｐｌｅ)を示す“ＨＭＡＣ  Ｔｕｐｌｅ”とを含む。
【００５３】
ハンドオーバーモードは、ネットワーク支援ハンドオーバーであるか否か、或いは安全チャンネルハンドオーバーであるかを示す。そして、Ｎ_Ｒｅｃｏｍｍｅｎｄｅｄは、サービング基地局がハンドオーバー可能なターゲット基地局として選択した隣接基地局の個数を意味する。なお、Ｎ_Ｒｅｃｏｍｍｅｎｄｅｄは、隣接基地局の各々に対する識別子と、隣接基地局が端末機に提供できる帯域幅及びサービスレベルに関する情報を意味する。また、ハンドオーバーモードが安全チャンネルハンドオーバーを遂行、すなわち、ハンドオーバーモードが“１０”である場合に、活性化されるＴｅｍｐｏｒａｒｙ  ＣＩＤと、ＭＯＢ-ＢＳＨＯ-ＲＥＱメッセージを認証するためのＨＭＡＣ  Ｔｕｐｌｅとを含む。
【００５４】
したがって、ステップ５２２で伝送するＭＯＢ-ＢＳＨＯ-ＲＥＱメッセージのハンドオーバーモードは、安全チャンネルハンドオーバーを遂行するモード、すなわち、“１０”に設定される。そして、Ｎ_Ｒｅｃｏｍｍｅｎｄｅｄの値は“１”となり、Ｎ_Ｒｅｃｏｍｍｅｎｄｅｄによって示す隣接基地局情報には、第１の隣接基地局５６０の識別子情報が含まれる。ステップ５２４で、“ＭＯＢ-ＢＳＨＯ-ＲＥＱ”メッセージを受信した後に、端末機５１０は、ハンドオーバーモードが安全チャンネルハンドオーバーであると、これに対する応答で端末機ハンドオーバー指示を示す“ＭＯＢ-ＨＯ-ＩＮＤ”メッセージを伝送し、ＭＯＢ-ＢＳＨＯ-ＲＥＱメッセージのＮ_Ｒｅｃｏｍｍｅｎｄｅｄ領域で示す第１の隣接基地局５６０にハンドオーバーを遂行する。ＭＯＢ-ＨＯ-ＩＮＤメッセージの構造は、下記の＜表８＞に示すようである。
【００５５】
【表８】
2006005946.tif 000010
【００５６】
＜表８＞に示すように、ＭＯＢ-ＨＯ-ＩＮＤメッセージは、複数のＩＥ、すなわち、送信されるメッセージのタイプを示す“Ｍａｎａｇｅｍｅｎｔ  Ｍｅｓｓａｇｅ  Ｔｙｐｅ”と、端末機が選択した最終ターゲット基地局へのハンドオーバーに対して決定するか、或いは取り消すか、或いは拒否するかを示す“ＨＯ_ＩＮＤ_ｔｙｐｅ”と、ハンドオーバーすることに決定した場合に、端末機が選択した最終ターゲット基地局の識別子を示す“Ｔａｒｇｅｔ  ＢＳ-ＩＤ”と、ＭＯＢ-ＨＯ-ＩＮＤメッセージを認証するための“ＨＭＡＣ  Ｔｕｐｌｅ”とを含む。
【００５７】
端末機が、最終ターゲット基地局へのハンドオーバーを遂行することに決定した場合はＨＯ_ＩＮＤ_ｔｙｐｅを“００”に設定し、或いはハンドオーバーを取り消すことに決定した場合はＨＯ_ＩＮＤ_ｔｙｐｅを“０１”に設定し、或いはハンドオーバーを拒否することに決定した場合はＨＯ_ＩＮＤ_ｔｙｐｅを“１０”に設定し、ＭＯＢ-ＨＯ-ＩＮＤメッセージを伝送するようになる。ＭＯＢ_ＨＯ_ｔｙｐｅが“１０”に設定されたＭＯＢ-ＨＯ-ＩＮＤメッセージを受信すると、サービング基地局５５０はハンドオーバー可能なターゲット基地局リストをアップデートする。
【００５８】
このように、サービング基地局５５０に第１の隣接基地局５６０をターゲット基地局として貯蔵したＭＯＢ-ＨＯ-ＩＮＤメッセージを伝送した後に、端末機５１０は第１の隣接基地局５６０に接続を切り替える。
【００５９】
ステップ５２３で、サービング基地局５５０は、第１の隣接基地局５６０が提供した安全チャンネルを端末機５１０に割り当てることができず、端末機５１０が第１の隣接基地局５６０にハンドオーバーを遂行することを知らせるためにＡｌｌｏｃ  ｆｌａｇを“０”に設定したＳａｆｅｔｙＣＨ-Ａｌｌｏｃ-Ｉｎｆｏメッセージを第１の隣接基地局５６０に伝送する。ここで、ＳａｆｅｔｙＣＨ-Ａｌｌｏｃ-Ｉｎｆｏメッセージは、上記の＜表６＞に示しており、サービング基地局自分の安全チャンネル情報を含む。ステップ５２３は、ステップ５２２とステップ５２４を遂行する前後に発生することができ、或いはステップ５２２とステップ５２４を遂行する間に発生することができる。
【００６０】
一方、ステップ５２８で、第１の隣接基地局５６０がＳａｆｅｔｙＣＨ-Ａｌｌｏｃ-Ｉｎｆｏメッセージを受信すると、端末機５１０が第１の隣接基地局５６０にハンドオーバーを遂行することを示すメッセージを認識し、端末機５１０の高速アップリンクレンジングを支援するために割り当てた“Ｆａｓｔ_ＵＬ_Ｒａｎｇｉｎｇ_ＩＥ”を含むアップリンクマップ(以下、“ＵＬ-ＭＡＰ”とする)メッセージを伝送する。ここで、ＵＬ-ＭＡＰメッセージは、第１の隣接基地局５６０のアップリンクに関連したパラメーターを含む。そして、第１の隣接基地局５６０が端末機５１０にＦａｓｔ_ＵＬ_Ｒａｎｇｉｎｇ_ＩＥを伝送することは、端末機５１０がハンドオーバーを遂行することによって発生できる遅延を最小化するためである。また、端末機５１０は、Ｆａｓｔ_ＵＬ_Ｒａｎｇｉｎｇ_ＩＥにより非競争(ｃｏｎｔｅｎｔｉｏｎ-ｆｒｅｅ)方式で、第１の隣接基地局５６０と初期レンジングをすることができる。ＵＬ-ＭＡＰメッセージに含まれるＦａｓｔ_ＵＬ_Ｒａｎｇｉｎｇ_ＩＥは、下記の＜表９＞のように示す。
【００６１】
【表９】
2006005946.tif 000011
【００６２】
＜表９＞に示すように、Ｆａｓｔ_ＵＬ_Ｒａｎｇｉｎｇ_ＩＥは、レンジング機会が提供される端末機５１０の“媒体接続制御(Ｍｅｄｉｕｍ  Ａｃｃｅｓｓ  Ｃｏｎｔｒｏｌ：以下、“ＭＡＣ”とする)アドレスと、高速アップリンクレンジングに対する開始オフセット値を記録する領域情報を提供する“アップリンク区間使用コード(Ｕｐｌｉｎｋ  Ｉｎｔｅｒｖａｌ  Ｕｓａｇｅ  Ｃｏｄｅ：以下、”ＵＩＵＣ“とする)”と、端末機５１０に割り当てられた非競争方式のレンジング機会区間の“サブチャンネルオフセット”と、ＯＦＤＭシンボルの個数を指示する“Ｎｏ．ＯＦＤＭ ｓｙｍｂｏｌｓ”と、サブチャンネルの個数を指示する“Ｎｏ．ｓｕｂｃｈａｎｎｅｌｓ”に関する情報とを含む。
【００６３】
端末機５１０のＭＡＣアドレスは、ステップ５２３のＳａｆｅｔｙＣＨ-Ａｌｌｏｃ-Ｉｎｆｏメッセージを通じて第１の隣接基地局５６０に伝送される。
ステップ５３０で、ＵＬ-ＭＡＰメッセージを受信した後に、端末機５１０は、Ｆａｓｔ_ＵＬ_Ｒａｎｇｉｎｇ_ＩＥにより第１の隣接基地局５６０にレンジング要求(Ｒａｎｇｉｎｇ  Ｒｅｑｕｅｓｔ：以下、“ＲＮＧ_ＲＥＱ”とする)メッセージを送信する。ステップ５３２で、ＲＮＧ_ＲＥＱメッセージを受信した後に、第１の隣接基地局５６０は、端末機５１０にレンジングのための周波数、時間、及び送信電力を補正するための情報を含むレンジング応答(Ｒａｎｇｉｎｇ  Ｒｅｓｐｏｎｓｅ：以下、“ＲＮＧ_ＲＳＰ”とする)メッセージを送信する。
【００６４】
したがって、サービング基地局５５０と通信を遂行中である端末機５１０が、サービング基地局５５０にスキャニング結果を伝送して受信信号の強さが変化することを知らせる。このとき、サービング基地局５５０が隣接基地局から安全チャンネルが割り当てられない場合に、端末機５１０は、隣接基地局にハンドオーバーを遂行する。その後、端末機５１０は、サービング基地局５５０の安全チャンネルを通じて隣接基地局と通信を遂行する。
【００６５】
図６は、本発明の実施形態によるＢＷＡ通信システムで、安全チャンネルを割り当てる場合の端末機の動作過程を概略的に示すフローチャートである。図６を参照すれば、ステップ６０２で、端末機は待機状態(ｉｄｌｅ  ｓｔａｔｅ)１にある。ステップ６０４で、端末機は、サービング基地局及び隣接基地局に対してスキャンする。次に、ステップ６０６で、ステップ６０４のスキャニングの結果、端末機は、特定イベントが発生するか否かを確認する。ここで、この特定イベントは、例えば、サービング基地局及び隣接基地局からの受信信号の強さに変化が生じた場合、すなわち、隣接基地局からの信号強さが所定の設定値(以下、“ＳａｆｅｔｙＣＨ_Ｔｈｒｅｓｈｏｌｄ”とする）以上になる場合が該当する。上記のように、隣接基地局からの受信信号の強さがＳａｆｅｔｙＣＨ_Ｔｈｒｅｓｈｏｌｄ以上になった場合に、端末機が隣接セルからの干渉を最小化するように隣接セルの安全チャンネルをサービング基地局から割り当てるべきである。
【００６６】
したがって、ステップ６０６で、端末機は、その一例として、隣接基地局の受信信号の強さと所定のＳａｆｅｔｙＣＨ_Ｔｈｒｅｓｈｏｌｄとを比較する。すなわち、隣接基地局の受信信号の強さがＳａｆｅｔｙＣＨ_Ｔｈｒｅｓｈｏｌｄ以上である場合に、端末機は、ステップ６０８に進行する。しかしながら、ステップ６０６で、隣接基地局の受信信号の強さがＳａｆｅｔｙＣＨ_Ｔｈｒｅｓｈｏｌｄ未満である場合には、端末機がステップ６０２に戻る。その後、端末機は、待機状態１にあり、サービング基地局と一般的な通信手順を遂行するようになる。
【００６７】
また、ステップ６０８で、端末機は、ＭＯＢ-ＳＣＡＮ-ＲＥＰＯＲＴメッセージをサービング基地局に伝送する。ステップ６１０で、端末機は、待機状態２にあり、その後、ステップ６１２に進行する。ここで、待機状態２は、待機状態１と根本的な差はなく、本発明の動作説明を容易にするためのものである。ステップ６１２で、端末機は、サービング基地局から安全チャンネルハンドオーバー手順を示すハンドオーバーモード値が“１０”に設定されたＭＯＢ-ＢＳＨＯ-ＲＥＱを受信したか否かを検査する。ステップ６１２で、端末機が、上記のようにハンドオーバーモード値が“１０”に設定されたＭＯＢ-ＢＳＨＯ-ＲＥＱメッセージを受信しない場合は、ステップ６１４に進行する。しかしながら、このハンドオーバーモード値が“１０”に設定されたＭＯＢ-ＢＳＨＯ-ＲＥＱメッセージを受信した場合には、ステップ６１６に進行する。
【００６８】
ステップ６１４で、端末機は、サービング基地局で伝送するＤＬ-ＭＡＰから割り当てられたチャンネルを用いてサービング基地局との通信を遂行する。ここで、ＤＬ-ＭＡＰから割り当てられたチャンネルは、隣接基地局の安全チャンネルであり、或いは、隣接基地局から安全チャンネル割り当て情報を受ける以前にサービング基地局との通信に利用したチャンネルであることができる。
【００６９】
しかしながら、ステップ６１２で、端末機が、ハンドオーバーモード値が“１０”に設定されたＭＯＢ-ＢＳＨＯ-ＲＥＱメッセージを受信すると、ステップ６１６に進行する。ステップ６１６で、ＭＯＢ-ＢＳＨＯ-ＲＥＱメッセージに対する応答でサービング基地局にＭＯＢ-ＨＯ-ＩＮＤメッセージを伝送する。ステップ６１８で、端末機は、ＭＯＢ-ＨＯ-ＩＮＤメッセージのターゲット基地局に該当する、すなわち受信信号の強さが最も高い隣接基地局に接続を切り替える。
【００７０】
そして、ステップ６２０で、端末機は、隣接基地局から高速レンジング情報エレメント、すなわち、Ｆａｓｔ_ＵＬ_Ｒａｎｇｉｎｇ_ＩＥを含むＵＬ-ＭＡＰメッセージを受信する。ステップ６２２で、端末機は、Ｆａｓｔ_ＵＬ_Ｒａｎｇｉｎｇ_ＩＥによって提供されるチャンネルを用いて隣接基地局にＲＮＧ-ＲＥＱメッセージを伝送する。ステップ６２４で、端末機は、ＲＮＧ-ＲＥＱメッセージに対する応答でＲＮＧ-ＲＳＰメッセージを隣接基地局から受信する。ステップ６２６で、端末機は、隣接基地局からサービング基地局の安全チャンネル情報を含むＤＬ-ＭＡＰメッセージを受信する。その後、端末機は、安全チャンネルで隣接基地局との通信を遂行する。
【００７１】
したがって、隣接セル領域に移動する端末機は、基地局信号強さに変化が生じたことを認知する。次に、端末機は、サービング基地局から安全チャンネルを割り当てる。或いは、サービング基地局が安全チャンネルを割り当てられない場合に、端末機は、隣接基地局にハンドオーバーを遂行した後に隣接基地局とサービング基地局の安全チャンネルを用いて通信する。
【００７２】
図７は、本発明の実施形態によるＢＷＡ通信システムで、安全チャンネルを割り当てる場合のサービング基地局の動作過程を概略的に示すフローチャートである。図７を参照すれば、ステップ７０２で、サービング基地局は、端末機からＭＯＢ-ＳＣＡＮ-ＲＥＰＯＲＴメッセージを受信する。ステップ７０４で、サービング基地局は、ＭＯＢ-ＳＣＡＮ-ＲＥＰＯＲＴメッセージに基づいて最も高い受信信号の強さを有する隣接基地局を選択する。ステップ７０６で、サービング基地局は、安全チャンネル情報を要求するＩｎｆｏ-ｒｅｑｕｅｓｔを“０”に設定した後にＳａｆｅｔｙＣＨ-Ｉｎｆｏメッセージを選択した隣接基地局に伝送する。ステップ７０８で、サービング基地局は待機状態にあり、ステップ７１０に進行する。ここで、待機状態は、選択した隣接基地局から安全チャンネル情報を受信するまで端末機、サービング基地局、隣接基地局の間の一般的な通信手順を遂行することを意味する。
【００７３】
ステップ７１０で、サービング基地局は、選択した隣接基地局から安全チャンネル情報を含むＩｎｆｏ-ｒｅｑｕｅｓｔが“１”に設定されたＳａｆｅｔｙＣＨ-Ｉｎｆｏメッセージを受信する。ステップ７１２で、サービング基地局は、選択された隣接基地局が提供する安全チャンネルを実際に端末機に割り当てできるか否かを判断する。このとき、サービング基地局は、隣接基地局が提供する安全チャンネルに該当するサービングセルのチャンネルを端末機に割り当て可能である場合はステップ７１４に進み、そうでない場合にはステップ７１８に進む。
【００７４】
ステップ７１４で、サービング基地局は、隣接基地局の安全チャンネルに該当するサービングセルの該当チャンネルを貯蔵したＤＬ-ＭＡＰメッセージを端末機に伝送する。ステップ７１６で、サービング基地局は、隣接基地局の安全チャンネルを実際に端末機に割り当てることを知らせるために、Ａｌｌｏｃ  ｆｌａｇを“１”に設定した＜表６＞のＳａｆｅｔｙＣＨ-Ａｌｌｏｃ-Ｉｎｆｏメッセージを伝送する。
【００７５】
ステップ７１８で、サービング基地局は、Ａｌｌｏｃ  ｆｌａｇを“０”に設定したＳａｆｅｔｙＣＨ-Ａｌｌｏｃ-Ｉｎｆｏメッセージを隣接基地局に伝送する。ここで、ＳａｆｅｔｙＣＨ-Ａｌｌｏｃ-Ｉｎｆｏメッセージは、サービング基地局の安全チャンネル情報を含む。サービング基地局は、Ａｌｌｏｃ  ｆｌａｇを“０”に設定することによって、隣接基地局の安全チャンネルが割り当てられず、端末機を隣接基地局にハンドオーバーすることを知らせる。また、サービング基地局は、隣接基地局でサービング基地局自分の安全チャンネルを用いて、端末機と隣接基地局が通信を遂行することを知らせる。ＳａｆｅｔｙＣＨ-Ａｌｌｏｃ-Ｉｎｆｏメッセージは、隣接基地局にハンドオーバーを遂行する端末機の識別子情報とサービング基地局の安全チャンネル情報を示すＴＬＶ_Ｓａｆｅｔｙ_ｃｈａｎｎｅｌ_ｉｎｆｏを含む。
【００７６】
ステップ７２０で、サービング基地局は、端末機に安全チャンネルを割り当てることができない。したがって、サービング基地局は、安全チャンネルハンドオーバーを遂行するように、ハンドオーバーモード値を“１０”に設定したＭＯＢ-ＢＳＨＯ-ＲＥＱメッセージを端末機に伝送する。ステップ７２２で、サービング基地局は、ＭＯＢ-ＢＳＨＯ-ＲＥＱに対する応答で端末機からＭＯＢ-ＨＯ-ＩＮＤメッセージを受信する。この場合に、サービング基地局は、端末機が隣接基地局に接続を切り替えることを認知する。
【００７７】
したがって、サービング基地局は、隣接セル領域に接近した端末機に対して隣接セルからの干渉を最小化するように、隣接セルの安全チャンネルを端末機に割り当てる。または、安全チャンネルが端末機に割り当てられない場合に、サービング基地局は、端末機を隣接基地局にハンドオーバーさせる。
【００７８】
図８は、本発明の実施形態によるＢＷＡ通信システムで、安全チャンネルを割り当てる場合の隣接基地局の動作過程を概略的に示すフローチャートである。図８に示すように、ステップ８０２で、隣接基地局、すなわち、信号強さが最も高い隣接基地局は、サービング基地局から安全チャンネル割り当て領域情報を要求するＩｎｆｏ-ｒｅｑｕｅｓｔが“０”に設定されたＳａｆｅｔｙＣＨ-Ｉｎｆｏメッセージを受信する。ステップ８０４で、隣接基地局は、自分の安全チャンネル情報を指示するために、Ｉｎｆｏ-ｒｅｑｕｅｓｔが“１”に設定されたＳａｆｅｔｙＣＨ-Ｉｎｆｏメッセージをサービング基地局に伝送する。ステップ８０６で、隣接基地局は、待機状態にある。ここで、待機状態は、サービング基地局から実際チャンネル割り当て情報を受信するまで隣接基地局で一般的な通信手順を遂行することを意味する。
【００７９】
ステップ８０８で、隣接基地局はサービング基地局からＳａｆｅｔｙＣＨ-Ａｌｌｏｃ-Ｉｎｆｏメッセージを受信する。ステップ８１０で、隣接基地局は、このＳａｆｅｔｙＣＨ-Ａｌｌｏｃ-ＩｎｆｏメッセージのＡｌｌｏｃ  ｆｌａｇ値が“０”に設定された否かを判断する。このとき、ＳａｆｅｔｙＣＨ-Ａｌｌｏｃ-ＩｎｆｏメッセージのＡｌｌｏｃ
ｆｌａｇ値は、ステップ８０４で伝送されたＳａｆｅｔｙＣＨ-Ｉｎｆｏメッセージに含まれた、隣接基地局によってサービング基地局に提供された安全チャンネルを、サービング基地局が端末機に割り当てるか否かを指示する。このとき、ステップ８１０で、隣接基地局は、Ａｌｌｏｃ  ｆｌａｇ値が“１”に設定されている場合に、ステップ８１２に進んで、ステップ８０４のＳａｆｅｔｙＣＨ-Ｉｎｆｏメッセージに含まれた安全チャンネルを端末機のために割り当てたことを認知し、割り当て可能な安全チャンネルに関する情報を更新する。
【００８０】
しかしながら、ステップ８１０で、隣接基地局は、Ａｌｌｏｃ  ｆｌａｇ値が“０”に設定されている場合に、ステップ８０４のＳａｆｅｔｙＣＨ-Ｉｎｆｏメッセージに含まれた安全チャンネルを端末機に割り当てないことを認知し、ステップ８１４に進行する。ステップ８１４で、隣接基地局は、端末機との安全チャンネルのハンドオーバーを遂行するために待機する。
【００８１】
ステップ８１６で、隣接基地局は、ステップ８０８で受信したＳａｆｅｔｙＣＨ-Ａｌｌｏｃ-Ｉｎｆｏメッセージに含まれた端末機識別子情報に該当する端末機と同期を獲得した後に、ハンドオーバーを遂行した端末機に高速レンジングが可能なように、Ｆａｓｔ_ＵＬ_Ｒａｎｇｉｎｇ_ＩＥを含むＵＬ-ＭＡＰメッセージを伝送する。
【００８２】
ステップ８１８で、隣接基地局は、端末機からＲＮＧ-ＲＥＱメッセージを受信する。ステップ８２０で、隣接基地局は、ＲＮＧ-ＲＥＱメッセージの受信に対する応答メッセージでＲＮＧ-ＲＳＰメッセージを伝送する。ステップ８２２で、隣接基地局は、このレンジング手順を遂行した後に、端末機と通信を遂行するためのチャンネル情報を含むＤＬ-ＭＡＰメッセージを端末機に伝送する。このとき、ＤＬ-ＭＡＰメッセージに含まれたチャンネルは、ステップ８０８でサービング基地局が伝送したＳａｆｅｔｙＣＨ-Ａｌｌｏｃ-Ｉｎｆｏメッセージに含まれたサービング基地局の安全チャンネルである。
【００８３】
図９は、本発明の他の実施形態によるＢＷＡ通信システムで、安全チャンネルを割り当てる動作過程を概略的に示す信号手順図である。図９で、サービング基地局は、受信信号の強さが最も高い隣接基地局の安全チャンネルを端末機に割り当てない、すなわち、図４のステップ４２０と図５のステップ５２０で、サービング基地局が安全チャンネルを割り当てない場合の、安全チャンネルを割り当てる動作を説明する。
【００８４】
図９を参照すれば、ステップ９１２で、端末機９１０は、サービングセルでサービング基地局９５０と通信する途中で端末機のサービング基地局９５０、第１の隣接基地局９６０、第２の隣接基地局９７０を含んだ隣接基地局に対してスキャンを遂行する。ステップ９１４で、ステップ９１２のスキャニング結果、端末機９１０は、サービング基地局及び各隣接基地局からの受信信号の強さが変更されると、サービング基地局９５０にＭＯＢ-ＳＣＡＮ-ＲＥＰＯＲＴメッセージを用いて該スキャニング結果を伝送する。ステップ９１６で、ＭＯＢ-ＳＣＡＮ-ＲＥＰＯＲＴメッセージを受信した後に、サービング基地局９５０は、受信信号の強さが最も高い隣接基地局を選択し、隣接基地局に安全チャンネル情報を要求するためにＩｎｆｏ-ｒｅｑｕｅｓｔを“０”に設定してＳａｆｅｔｙＣＨ-Ｉｎｆｏメッセージを伝送する。言い換えれば、サービング基地局９５０は、受信信号の強さが最も高い隣接基地局である第１の基地局９６０に、ＳａｆｅｔｙＣＨ-Ｉｎｆｏメッセージを送信する。ステップ９１８で、第１の隣接基地局９６０は、サービング基地局９５０からの安全チャンネル情報要求に対応して第１の隣接基地局９６０の安全チャンネル情報であるＴＬＶ_Ｓａｆｅｔｙ_ｃｈａｎｎｅｌ_ｉｎｆｏを含むＩｎｆｏ-ｒｅｑｕｅｓｔを“１”に設定し、ＳａｆｅｔｙＣＨ-Ｉｎｆｏメッセージをサービング基地局９５０に伝送する。ステップ９２０で、サービング基地局９５０は、ＳａｆｅｔｙＣＨ-Ｉｎｆｏメッセージに含まれた第１の隣接基地局９６０の安全チャンネルに該当する自分のチャンネルを端末機９１０に割り当て可能であるか否かを判断する。このとき、安全チャンネルが既に他の端末機で使用されていると、サービング基地局が端末機９１０にチャンネルの割り当てが不可能であると決定し、ステップ９２２に進む。
【００８５】
ステップ９２２で、サービング基地局９５０は、チャンネルを提供した第１の隣接基地局９６０にＡｌｌｏｃ  ｆｌａｇを“０”に設定したＳａｆｅｔｙＣＨ-Ａｌｌｏｃ-Ｉｎｆｏメッセージを伝送する。このＳａｆｅｔｙＣＨ-Ａｌｌｏｃ-Ｉｎｆｏメッセージを伝送することによって、端末機９１０に第１の隣接基地局９６０の安全チャンネルを割り当てないことを知らせる。
【００８６】
ステップ９２４で、サービング基地局９５０は、受信信号の強さが2番目に高い第２の隣接基地局９７０を選択し、Ｉｎｆｏ-ｒｅｑｕｅｓｔを“０”に設定したＳａｆｅｔｙＣＨ-Ｉｎｆｏメッセージを伝送してステップ９２６に進行する。このとき、サービング基地局は、第２の隣接基地局９７０の安全チャンネル情報を要求するために、ＳａｆｅｔｙＣＨ-Ａｌｌｏｃ-Ｉｎｆｏを“０”に設定したＳａｆｅｔｙＣＨ-Ａｌｌｏｃ-Ｉｎｆｏメッセージを伝送する。
【００８７】
ステップ９２６で、第２の隣接基地局９７０は、ＳａｆｅｔｙＣＨ-Ａｌｌｏｃ-Ｉｎｆｏメッセージを受信した後に、第２の隣接基地局９７０の安全チャンネル情報を含む、Ｉｎｆｏ-ｒｅｑｕｅｓｔを“１”に設定したＳａｆｅｔｙＣＨ-Ａｌｌｏｃ-Ｉｎｆｏメッセージをサービング基地局９５０に伝送する。
【００８８】
ステップ９２８で、サービング基地局９５０は、端末機９１０に第２の隣接基地局９７０の安全チャンネル情報を含むＤＬ-ＭＡＰメッセージを伝送する。ステップ９３０で、サービング基地局９５０は、第２の隣接基地局９７０の安全チャンネルを端末機９１０に割り当てたことを知らせるＡｌｌｏｃ  ｆｌａｇを“１”に設定した＜表６＞のＳａｆｅｔｙＣＨ-Ａｌｌｏｃ-Ｉｎｆｏメッセージを第２の隣接基地局９７０に伝送する。一方、第２の隣接基地局９７０が提供する安全チャンネルを端末機９１０に割り当てない場合が発生すると、サービング基地局９５０は端末機９１０に隣接基地局の安全チャンネルを割り当てる動作を保留し、現在割り当てられたチャンネルを用いて継続して通信を遂行する。また、図５に示したように、サービング基地局９５０は、受信信号の強さが最も高い隣接基地局へのハンドオーバーを指示することができる。
【００８９】
図１０は、本発明の他の実施形態によるＢＷＡ通信システムで、安全チャンネルを割り当てる場合に端末機の動作過程を概略的に示すフローチャートである。図１０を参照すれば、ステップ１００２で、端末機は待機状態１にあり、その後にステップ１００４に進む。ステップ１００４で、端末機は、サービング基地局及び隣接基地局に対してスキャンを行う。ステップ１００６で、端末機は、上記のスキャニング結果、特定イベントが発生したか否かを確認する。この特定イベントは、例えば、サービング基地局と隣接基地局からの受信信号の強さに変化が生じた場合、すなわち、隣接基地局からの受信信号の強さがＳａｆｅｔｙＣＨ_Ｔｈｒｅｓｈｏｌｄ以上になる場合である。
【００９０】
上記のように、隣接基地局からの受信信号の強さがＳａｆｅｔｙＣＨ_Ｔｈｒｅｓｈｏｌｄ以上になった場合に、端末機は、隣接セルからの干渉を最小化するように隣接セルの安全チャンネルをサービング基地局から割り当てるべきである。
【００９１】
ステップ１００６で、特定イベントが発生したことが確認されると、端末機は、ステップ１００８に進んで、サービング基地局にＭＯＢ-ＳＣＡＮ-ＲＥＰＯＲＴメッセージを伝送し、ステップ１０１０に進む。一方、ステップ１００６で、端末機が、特定イベントが発生しなかったことを確認した場合は、ステップ１００２に戻る。端末機は、ステップ１００２の待機状態にありつつ、サービング基地局と一般的な通信手順を遂行する。
【００９２】
ステップ１０１０で、端末機は待機状態２にあり、その後、ステップ１０１２に進む。ステップ１０１２で、端末機は、サービング基地局から隣接基地局の安全チャンネル情報を含むＤＬ-ＭＡＰを受信し、割り当てたチャンネルを用いてサービング基地局との通信を遂行する。
【００９３】
図１１は、本発明の他の実施形態によるＢＷＡ通信システムで、安全チャンネルを割り当てる場合にサービング基地局の動作過程を概略的に示すフローチャートである。図１１を参照すれば、ステップ１１０２で、サービング基地局は、端末機からＭＯＢ-ＳＣＡＮ-ＲＥＰＯＲＴメッセージを受信する。ステップ１１０４で、サービング基地局は、ＭＯＢ-ＳＣＡＮ-ＲＥＰＯＲＴメッセージに基づいて最も高い受信信号の強さを有する第１の隣接基地局を選択する。
【００９４】
ステップ１１０６で、サービング基地局は、選択した第１の隣接基地局に安全チャンネル情報を要求する、Ｉｎｆｏ-ｒｅｑｕｅｓｔを“０”に設定したＳａｆｅｔｙＣＨ-Ｉｎｆｏメッセージを伝送する。
ステップ１１０８で、サービング基地局は待機状態１にあり、その後にステップ１１１０に進行する。ステップ１１１０で、サービング基地局は、第１の隣接基地局から安全チャンネル情報を含む、Ｉｎｆｏ-ｒｅｑｕｅｓｔが“１”に設定されたＳａｆｅｔｙＣＨ-Ｉｎｆｏメッセージを受信する。
【００９５】
ステップ１１１２で、サービング基地局は、第１の隣接基地局が提供する安全チャンネルを実際に端末機に割り当て可能であるか否かを判断する。このとき、安全チャンネルを割り当てできる場合には、図４及び図５で上述したような動作を遂行する。したがって、第１の隣接基地局の安全チャンネルをサービング基地局が既に他の端末機のために使用していると、選択した第１の隣接基地局が提供する安全チャンネルに該当するサービングセルのチャンネルを割り当てることができないことに決定し、ステップ１１１４に進行する。
【００９６】
ステップ１１４で、サービング基地局は、Ａｌｌｏｃ  ｆｌａｇを“０”に設定したＳａｆｅｔｙＣＨ-Ａｌｌｏｃ-Ｉｎｆｏメッセージを第１の隣接基地局に伝送することによって、第１の隣接基地局の安全チャンネルが割り当てられないことを指示する。ステップ１１１６で、サービング基地局は、受信信号の強さが２番目に高い第２の隣接基地局を選択する。
【００９７】
ステップ１１１８で、サービング基地局は、第２の隣接基地局に安全チャンネル情報を要求するＡｌｌｏｃ  ｆｌａｇを“０”に設定したＳａｆｅｔｙＣＨ-Ｉｎｆｏメッセージを伝送する。ステップ１１２０で、サービング基地局は、待機状態２にあり、その後にステップ１１２２に進行する。待機状態２は、待機状態１と根本的に同一の状態であって、サービング基地局が選択した第２の隣接基地局から安全チャンネル情報を受信するまで、端末機、サービング基地局、隣接基地局の間の一般的な通信手順を遂行することを意味する。
【００９８】
ステップ１１２２で、サービング基地局は、選択した第２の隣接基地局から安全チャンネル情報を含む、Ｉｎｆｏ-ｒｅｑｕｅｓｔが“１”に設定されたＳａｆｅｔｙＣＨ-Ｉｎｆｏメッセージを受信する。ステップ１１２４で、サービング基地局は、第２の隣接基地局の安全チャンネル情報を含むＤＬ-ＭＡＰメッセージを端末機に伝送する。
【００９９】
次に、ステップ１１２６で、サービング基地局は、第２の隣接基地局が提供した安全チャンネルを端末機に割り当てることを知らせる、Ａｌｌｏｃ  ｆｌａｇを“１”に設定した＜表６＞に示したようなＳａｆｅｔｙＣＨ-Ａｌｌｏｃ-Ｉｎｆｏメッセージを第２の隣接基地局に送信する。
【０１００】
図１２は、本発明の他の実施形態によるＢＷＡ通信システムで、安全チャンネルを割り当てる場合に隣接基地局の動作過程を概略的に示すフローチャートである。図１２を参照すれば、ステップ１２０２で、第２の隣接基地局は２番目に受信信号の強さが高く、サービング基地局から安全チャンネル割当領域情報を要求するＡｌｌｏｃ  ｆｌａｇが“０”に設定されたＳａｆｅｔｙＣＨ-Ａｌｌｏｃ-Ｉｎｆｏメッセージを受信する。ステップ１２０４で、第２の隣接基地局は、自分の安全チャンネル情報を知らせるためにＩｎｆｏ-ｒｅｑｕｅｓｔが“１”に設定されたＳａｆｅｔｙＣＨ-Ｉｎｆｏメッセージをサービング基地局に伝送する。ステップ１２０６で、第２の隣接基地局は待機状態にあり、ステップ１２０８に進行する。このとき、待機状態は、サービング基地局から実際のチャンネル割り当て情報を受信するまで第２の隣接基地局で遂行する一般的な通信手順を意味する。
【０１０１】
ステップ１２０８で、第２の隣接基地局は、サービング基地局からＡｌｌｏｃ  ｆｌａｇ値が“１”に設定されたＳａｆｅｔｙＣＨ-Ａｌｌｏｃ-Ｉｎｆｏメッセージを受信する。ここで、第２の隣接基地局は、ＳａｆｅｔｙＣＨ-Ｉｎｆｏメッセージに含まれた安全チャンネルを端末機のためにサービング基地局が割り当てたことを認知する。ステップ１２１０で、第２の隣接基地局は、割り当て可能な安全チャンネル情報を更新する。
【０１０２】
一方、上述した図９の信号フローチャートによる第１の隣接基地局の動作は、図８に示した動作と類似に適用可能である。
【０１０３】
図１２では、安全チャンネルを割り当てる場合に、サービング基地局が、２番目に受信信号の強さが高い第２の隣接基地局に安全チャンネル情報を要求し、第２の隣接基地局から受信した安全チャンネルを端末機に割り当てる第２の隣接基地局の動作過程を説明した。
しかしながら、サービング基地局が隣接基地局の安全チャンネルを割り当てない場合に、サービング基地局は、端末機を隣接基地局にハンドオーバーする。このとき、サービング基地局は、端末機が受信信号の強さが最も高い隣接基地局だけでなく、ＳａｆｅｔｙＣＨ_Ｔｈｒｅｓｈｏｌｄより高い受信信号の強さ、すなわち、一例としてキャリア対干渉雑音比(Ｃａｒｒｉｅｒ  ｔｏ  Ｉｎｔｅｒｆｅｒｅｎｃｅ  ａｎｄ  Ｎｏｉｓｅ  Ｒａｔｉｏ：以下、“ＣＩＮＲ”とする)を有する隣接基地局にもハンドオーバーが可能にする。この場合に、サービング基地局は、隣接基地局に端末機のハンドオーバー情報及びサービング基地局の安全チャンネル情報を提供することができる。
【０１０４】
図１３は、本発明のまた他の実施形態によるＢＷＡ通信システムで、安全チャンネルを割り当てる動作過程を概略的に示す信号手順図である。図１３を参照すれば、ステップ１３１２で、端末機１３１０は、サービングセルでサービング基地局１３５０と通信する途中でサービング基地局１３５０、第１の隣接基地局１３６０、第２の隣接基地局１３７０を含む隣接基地局に対してスキャンを行う。ステップ１３１４で、ステップ１３１２のスキャニング結果、サービング基地局及び各隣接基地局からの受信信号の強さに変動が生じると、端末機１３１０は、サービング基地局１３５０にＭＯＢ-ＳＣＡＮ-ＲＥＰＯＲＴメッセージを用いてそのスキャニング結果を伝送する。
【０１０５】
ステップ１３１６で、ＭＯＢ-ＳＣＡＮ-ＲＥＰＯＲＴメッセージを受信すると、サービング基地局１３５０は、受信信号の強さが最も高い隣接基地局を選択し、隣接基地局に安全チャンネル情報の割り当てを要求するためにＩｎｆｏ-ｒｅｑｕｅｓｔを“０”に設定してＳａｆｅｔｙＣＨ-Ｉｎｆｏメッセージを伝送する。言い換えれば、サービング基地局１３５０は、受信信号の強さが最も高い第１の隣接基地局１３６０にＳａｆｅｔｙＣＨ-Ｉｎｆｏメッセージを送信する。
【０１０６】
ステップ１３１８で、第１の隣接基地局１３６０は、サービング基地局１３５０から安全チャンネル情報の割り当て要求に対応して第１の隣接基地局１３６０の安全チャンネル情報であるＴＬＶ_Ｓａｆｅｔｙ_ｃｈａｎｎｅｌ_ｉｎｆｏを含むＩｎｆｏ-ｒｅｑｕｅｓｔを“１”に設定してＳａｆｅｔｙＣＨ-Ｉｎｆｏメッセージをサービング基地局１３５０に伝送する。ステップ１３２０で、サービング基地局１３５０は、ＳａｆｅｔｙＣＨ-Ｉｎｆｏメッセージに含まれた第１の隣接基地局１３６０の安全チャンネルに該当する自分のチャンネルを端末機１３１０に割り当て可能であるか否かを確認する。このとき、安全チャンネルを既に他の端末機が使用していると、サービング基地局は、チャンネルを割り当てることができないことに決定する。
【０１０７】
ステップ１３２２で、サービング基地局１３５０は、端末機１３１０にＭＯＢ-ＢＳＨＯ-ＲＥＱメッセージを伝送することによって、端末機１３１０をハンドオーバーするように指示し、ステップ１３２４及びステップ１３２６に進行する。サービング基地局１３５０は、受信信号の強さが最も高い隣接基地局以外にＣＩＮＲがＳａｆｅｔｙＣＨ_Ｔｈｒｅｓｈｏｌｄより高い隣接基地局をハンドオーバー候補隣接基地局として選択できる。したがって、第１の隣接基地局１３６０と第２の隣接基地局１３７０のＣＩＮＲがＳａｆｅｔｙＣＨ_Ｔｈｒｅｓｈｏｌｄより高い場合に、サービング基地局１３５０は、第１の隣接基地局１３６０と第２の隣接基地局１３７０をハンドオーバー候補隣接基地局として、ＭＯＢ-ＢＳＨＯ-ＲＥＱメッセージに含むことができる。
【０１０８】
ステップ１３２４で、サービング基地局１３５０は、サービングセルで安全チャンネルを端末機に割り当てることができないため、端末機１３１０は、ハンドオーバー候補隣接基地局として選択した第１の隣接基地局１３６０にハンドオーバーを遂行することを知らせるために、Ａｌｌｏｃ  ｆｌａｇを“０”に設定したＳａｆｅｔｙＣＨ-Ａｌｌｏｃ-Ｉｎｆｏメッセージを第１の隣接基地局１３６０に伝送する。また、ステップ１３２６で、サービング基地局１３５０は、サービングセルで安全チャンネルを端末機１３１０に割り当てることができないため、ハンドオーバー候補隣接基地局として選択した第２の隣接基地局１３０にハンドオーバーを遂行することを知らせるために、Ａｌｌｏｃ  ｆｌａｇを“０”に設定したＳａｆｅｔｙＣＨ-Ａｌｌｏｃ-Ｉｎｆｏメッセージを第２の隣接基地局１３７０に伝送する。
【０１０９】
ステップ１３２８で、ＭＯＢ-ＢＳＨＯ-ＲＥＱメッセージを受信した後に、端末機１３１０は、ハンドオーバーモードが安全チャンネルハンドオーバーであることを認知すると、これに対する応答でＭＯＢ-ＨＯ-ＩＮＤメッセージを伝送する。ここで、端末機１３１０は、ハンドオーバーするターゲット基地局を選択する基準として隣接基地局との受信信号の強さ又は隣接基地局で提供可能なサービスレベル情報などが適用可能である。また、ステップ１３２８で伝送するＭＯＢ-ＨＯ-ＩＮＤメッセージは、最終選択した隣接基地局情報を必ずしも含まない。
【０１１０】
一方、サービング基地局１３５０から伝送されたＳａｆｅｔｙＣＨ-Ａｌｌｏｃ-Ｉｎｆｏメッセージは、該サービング基地局自分の安全チャンネル情報を含む。ステップ１３２４及び１３２６は、ステップ１３２２及び１３２８の前後に遂行可能、或いは、ステップ１３２２とステップ１３２８との間に遂行可能ある。
【０１１１】
ステップ１３３０及び１３３２で、第１の隣接基地局１３６０及び第２の隣接基地局１３７０が、各々ＳａｆｅｔｙＣＨ-Ａｌｌｏｃ-Ｉｎｆｏメッセージを受信すると、メッセージに含まれている端末機１３１０が自分にハンドオーバーを遂行することを認知する。そして、第１の隣接基地局１３６０及び第２の隣接基地局１３７０は、端末機１３１０の高速アップリンクレンジングを支援するために、割り当てられたＦａｓｔ_ＵＬ_Ｒａｎｇｉｎｇ_ＩＥを含むＵＬ-ＭＡＰメッセージを端末機に伝送し、ステップ１３３４に進行する。
【０１１２】
このように、サービング基地局１３５０にＭＯＢ-ＨＯ-ＩＮＤメッセージを伝送した後に、端末機１３１０は、最終的に選択した第１の隣接基地局に接続を切り替え、すなわち、ハンドオーバーを行う。したがって、ステップ１３３４で、端末機１３１０は、第１の隣接基地局１３６０が伝送するＵＬ-ＭＡＰメッセージを受信してＦａｓｔ_ＵＬ_Ｒａｎｇｉｎｇ_ＩＥによる第１の隣接基地局１３６０にＲＮＧ-ＲＥＱメッセージを送信する。
【０１１３】
ステップ１３３６で、第１の隣接基地局１３６０は、ＲＮＧ_ＲＥＱメッセージに対応するＲＮＧ_ＲＳＰメッセージを端末機１３１０に送信する。ステップ１３３８で、上記のレンジング過程後に、第１の隣接基地局１３６０は、ＤＬ-ＭＡＰメッセージを伝送してサービング基地局１３５０の安全チャンネルを端末機１３１０に割り当て、ステップ１３４０に進行する。
【０１１４】
ステップ１３４０で、第１の隣接基地局１３６０は、Ａｌｌｏｃ  ｆｌａｇを“１”に設定したＳａｆｅｔｙＣＨ_Ａｌｌｏｃ_Ｉｎｆｏメッセージを伝送し、端末機１３１０に安全チャンネルに該当するチャンネルを割り当てたことをサービング基地局１３５０に知らせる。
【０１１５】
また、端末機１３１０のハンドオーバーを待機し、Ｆａｓｔ_ＵＬ_Ｒａｎｇｉｎｇ_ＩＥが割り当てられている第２の隣接基地局１３７０は、一定時間、端末機１３１０がハンドオーバーせず、或いは、サービング基地局１３５０から端末機が他の隣接基地局にハンドオーバーすることを知らせる情報を受信すると、端末機に対するＦａｓｔ_ＵＬ_Ｒａｎｇｉｎｇ_ＩＥの割り当てを取り消す。
【０１１６】
ここで、最終ターゲット基地局として選択されない隣接基地局が、端末機に対するＦａｓｔ_ＵＬ_Ｒａｎｇｉｎｇ_ＩＥの割り当てを取り消す判断過程は、本発明の範囲を外れるため、その詳細な説明は省略する。そして、図１３の上述の内容は、サービング基地局が隣接基地局の安全チャンネルを割り当てない場合に、サービング基地局は、端末機のスキャニング結果に基づいてハンドオーバー可能な複数の隣接基地局を選択し、端末機がこれらのうちの一つの隣接基地局にハンドオーバーを遂行する。したがって、図１３の上述した内容は、図５〜図８に上述した内容に類似するため、サービング基地局１３５０、第１の隣接基地局１３６０、第２の隣接基地局１３７０の個別動作過程に関する具体的な説明は省略する。
【０１１７】
以上、本発明を具体的な実施形態によって詳細に説明したが、本発明の範囲から逸脱しない限り様々な変更が可能であることは、もちろんである。したがって、本発明の範囲は、上述の実施形態に限定されるものではなく、特許請求の範囲だけでなくこれと均等なものに基づいて定められるべきである。
【図面の簡単な説明】
【０１１８】
【図１】一般的なＢＷＡ通信システムの構造を概略的に示す図である。
【図２】一般的なＢＷＡ通信システムのフレーム構造を概略的に示す図である。
【図３】一般的なＢＷＡ通信システムで安全チャンネルが適用されたフレーム構造を示す図である。
【図４】本発明の実施形態によるＢＷＡ通信システムで、安全チャンネルを割り当てる動作過程を概略的に示す信号手順図である。
【図５】本発明の実施形態によるＢＷＡ通信システムで、ハンドオーバーを遂行して安全チャンネルを割り当てる動作過程を概略的に示す信号手順図である。
【図６】本発明の実施形態によるＢＷＡ通信システムで、安全チャンネルを割り当てる場合に端末機の動作過程を概略的に示すフローチャートである。
【図７】本発明の実施形態によるＢＷＡ通信システムで、安全チャンネルを割り当てる場合にサービング基地局の動作過程を概略的に示すフローチャートである。
【図８】本発明の実施形態によるＢＷＡ通信システムで、安全チャンネルを割り当てる場合に隣接基地局の動作過程を概略的に示すフローチャートである。
【図９】本発明の他の実施形態によるＢＷＡ通信システムで、安全チャンネルを割り当てる動作過程を概略的に示す信号手順図である。
【図１０】本発明の他の実施形態によるＢＷＡ通信システムで、安全チャンネルを割り当てる場合に端末機の動作過程を概略的に示すフローチャートである。
【図１１】本発明の他の実施形態によるＢＷＡ通信システムで、安全チャンネルを割り当てる場合にサービング基地局の動作過程を概略的に示すフローチャートである。
【図１２】本発明の他の実施形態によるＢＷＡ通信システムで、安全チャンネルを割り当てる場合に隣接基地局の動作過程を概略的に示すフローチャートである。
【図１３】本発明のまた他の実施形態によるＢＷＡ通信システムで、安全チャンネルを割り当てる動作過程を概略的に示す信号手順図である。
【符号の説明】
【０１１９】
４１０，５１０，９１０，１３１０…端末機
４５０，５５０，９５０，１３５０…サービング基地局
４６０，５６０，９６０，１３６０…第１の隣接基地局
４７０，５７０，９７０，１３７０…第２の隣接基地局
【図１】
2006005946.tif 000012
【図２】
2006005946.tif 000013
【図３】
2006005946.tif 000014
【図４】
2006005946.tif 000015
【図５】
2006005946.tif 000016
【図６】
2006005946.tif 000017
【図７】
2006005946.tif 000018
【図８】
2006005946.tif 000019
【図９】
2006005946.tif 000020
【図１０】
2006005946.tif 000021
【図１１】
2006005946.tif 000022
【図１２】
2006005946.tif 000023
【図１３】
2006005946.tif 000024
【外国語明細書】
2006005946.tif 000025
2006005946.tif 000026
2006005946.tif 000027
2006005946.tif 000028
2006005946.tif 000029
2006005946.tif 000030
2006005946.tif 000031
2006005946.tif 000032
2006005946.tif 000033
2006005946.tif 000034
2006005946.tif 000035
2006005946.tif 000036
2006005946.tif 000037
2006005946.tif 000038
2006005946.tif 000039
2006005946.tif 000040
2006005946.tif 000041
2006005946.tif 000042
2006005946.tif 000043
2006005946.tif 000044
2006005946.tif 000045
2006005946.tif 000046
2006005946.tif 000047
2006005946.tif 000048
2006005946.tif 000049
2006005946.tif 000050
2006005946.tif 000051
2006005946.tif 000052
2006005946.tif 000053
2006005946.tif 000054
2006005946.tif 000055
2006005946.tif 000056
2006005946.tif 000057
2006005946.tif 000058
2006005946.tif 000059
2006005946.tif 000060
2006005946.tif 000061
2006005946.tif 000062
2006005946.tif 000063
2006005946.tif 000064
2006005946.tif 000065
2006005946.tif 000066
2006005946.tif 000067
2006005946.tif 000068
2006005946.tif 000069
2006005946.tif 000070
2006005946.tif 000071
2006005946.tif 000072
2006005946.tif 000073
2006005946.tif 000074